(57)【要約】【課題】  強度の高い、組み立て式の流し台を提供する。【解決手段】  所定間隔をあけて配される左右一対の側枠３と、これら側枠３の上部の前後部に渡し止められる前後一対の渡し枠２８と、側枠３の上部及び渡し枠２８の上部に載置される、水槽４９を有する天板４８とを有しており、前記渡し枠２８が、上下方向に所定間隔をあけて配された上下一対の横材２９と、これら横材２９の左右部を繋ぐ左右一対の縦材３０と、上下の横材２９の長手方向中間に渡された中間補強材３１とを有している。【選択図】  図１
2005168610.tif 000002
【特許請求の範囲】
【請求項１】
所定間隔をあけて配される左右一対の側枠と、これら側枠の上部の前後部に渡し止められる前後一対の渡し枠と、側枠の上部及び渡し枠の上部に載置される、水槽を有する天板とを有しており、前記渡し枠が、上下方向に所定間隔をあけて配された上下一対の横材と、これら横材の左右部を繋ぐ左右一対の縦材と、上下の横材の長手方向中間に渡された中間補強材とを有している組み立て式の流し台。
【発明の詳細な説明】
【技術分野】
【０００１】
本発明は組み立て式の流し台に関する。
【背景技術】
【０００２】
従来、この種の流し台として以下の如きものは知られている。
所定間隔をあけて配される左右一対の側枠と、これら側枠の上部の前後部に渡し止められる前後一対の渡し桟と、側枠の上部及び渡し桟の上部に載置される、水槽を有する天板とを有するものは知られている。
【特許文献１】特開平１１−９９，０２４号公報
【発明の開示】
【発明が解決しようとする課題】
【０００３】
前記従来の流し台には以下の如き欠点があった。
左右の側枠の上部の前後部に棒状の渡し桟を渡すものであったので、強度が弱く、左右の側枠の間隔（流し台の左右長さ）を長くすることが困難であるという欠点があった。
【課題を解決するための手段】
【０００４】
本発明は前記欠点を解消するために以下の如き手段を採用した。
請求項１の発明は、所定間隔をあけて配される左右一対の側枠と、これら側枠の上部の前後部に渡し止められる前後一対の渡し枠と、側枠の上部及び渡し枠の上部に載置される、水槽を有する天板とを有しており、前記渡し枠が、上下方向に所定間隔をあけて配された上下一対の横材と、これら横材の左右部を繋ぐ左右一対の縦材と、上下の横材の長手方向中間に渡された中間補強材とを有しているものである。
【発明の効果】
【０００５】
本発明は前記した如き構成によって以下の如き効果を奏する。
請求項１の発明によれば、渡し枠が、上下方向に所定間隔をあけて配された上下一対の横材と、これら横材の左右部を繋ぐ左右一対の縦材と、上下の横材の長手方向中間に渡された中間補強材とを有しているので、渡し枠を強度の高いものとすることが出来る。その結果、左右の側枠の間隔（流し台の左右長さ）を長くすることが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
まず、組み立てが完了した状態の流し台１について説明する。
流し台１は、所定間隔をあけて配された左右一対の側枠３を有している。
前記左側の側枠３は、下端に公知の高さ調節具５を有する前後方向に所定間隔をあけて対向する前後一対の支柱６と、これら支柱６の上部に渡し止められた長手方向を前後方向に向けた上部第１水平材７と、この上部第１水平材７の下方において前後の支柱６に渡し止められた、長手方向を前後方向に向けた上部第２水平材８と、支柱６の下部に渡し止められた長手方向を前後方向に向けた下部水平材９とを有している。
前記支柱６、上部第１水平材７及び下部水平材９は断面矩形のパイプ材からなり、上部第２水平材８は断面矩形の棒材からなっている。
【０００８】
前記側枠３の外側上部には木質系素材からなる側部の幕板１１が以下のようにして取り付けられている。幕板１１の下部は、上部第２水平材８に形成された軸心を左右方向に向けた所要個の貫通孔（図示略）を通じて、ねじ（図示略）を幕板１１にねじ込むことにより、上部第２水平材８に取り付けられ、幕板１１の上部は、図５に示すごとく、上部第１水平材７に取り付けられた断面逆Ｌ字状の連結具１３の垂下壁１４に形成された軸心を左右方向に向けた所要個の貫通孔を通じてねじ１６を幕板１１にねじ込むことにより、連結具１３に取り付けられている。なお、幕板１１と垂下壁１４との間にはスペース材１７（前後長さは垂下壁１４の前後長さに等しい）が介挿されている。
【０００９】
以下、前記連結具１３の取り付け方法について説明する。
上部第１水平材７の右側壁に形成された軸心を左右方向に向けた貫通孔１９に、周知の雌ねじ筒２０［入口側端（図５における右側端）にフランジ２１を有している］が取り付けられている。前記雌ねじ筒２０は、周知のごとく以下のようにして貫通孔１９の周縁部に取り付けられる。図５に示す変形フランジ２２を変形させる前の状態にある雌ねじ筒２０を貫通孔１９に挿通した後、上部第１水平材７の内部に突出した塑性変形筒状部（この部分には雌ねじは形成されていない。）を所定の工具で変形させて変形フランジ２２を形成し、この変形フランジ２２とフランジ２１とにより貫通孔１９の周縁部を挟持させることにより、雌ねじ筒２０は貫通孔１９の周縁部に取り付けられる。
【００１０】
前記雌ねじ筒２０に、六角孔付きボルト２６を、垂下壁１４に形成された軸心を左右方向に向けた貫通孔２７を通じてねじ嵌めることにより、連結具１３は上部第１水平材７に取り付けられる。なお、垂下壁１４にはフランジ２１が嵌まる凹所２５が形成されている。
【００１１】
前記右側の側枠３は、左右方向中央に鏡面を左側に向けるようにして置いた鏡で左側の側枠３を映したときに表われる像と同一の形状をしている。
【００１２】
前記左右の側枠３の上部の前後部に前後一対の金属製の渡し枠２８が渡し止められている。
前記前側の渡し枠２８は、上下方向に所定間隔をあけて配された上下一対の横材２９と、これら横材２９の左右部を繋ぐ左右一対の縦材３０と、上下の横材２９の長手方向中間に渡された所要個の中間補強材３１（図１参照）とを有している。
【００１３】
前記下側の横材２９は、断面Ｌ字状をしていて、垂直片２９ａと垂直片２９ａの下縁に後方突出状に連設された突出片２９ｂとを有している。上側の横材２９は、上下方向中央に鏡面を下側に向けるようにして置いた鏡で下側の横材２９を映したときに表われる像と同一の形状をしている。
【００１４】
前記左側の縦材３０は断面Ｌ字状をしていて、垂直片３０ａと垂直片３０ａの左縁に後方突出状に連設された突出片３０ｂとを有している。右側の横材２９は、左右方向中央に鏡面を左側に向けるようにして置いた鏡で左側の縦材３０を映したときに表われる像と同一の形状をしている。
【００１５】
前記中間補強材３１は上下の垂直片２９ａに取り付けられている。
【００１６】
前記前側の渡し枠２８の左端部は以下のようにして左側の側枠３の、上部第１水平材７の前部及び上部第２水平材８の前部に取り付けられている。
まず、図３を参照しつつ左側の縦材３０の上部の取り付け状態を説明する。前記上部第１水平材７の前部には、図５に示した雌ねじ筒２０が２個取り付けられている。これら雌ねじ筒２０は、図４に示すところの、雌ねじ筒２０にねじ嵌められる六角孔付きボルト２６を参照すれば明らかなように、上下にずれると共に前後にもずれて位置している。
前記雌ねじ筒２０に、六角孔付きボルト２６を、突出片３０ｂに形成された軸心を左右方向に向けた貫通孔３４を通じてねじ嵌めることにより、左側の縦材３０の上部は上部第１水平材７に取り付けられる。なお、突出片３０ｂにはフランジ２１が嵌まる凹所３５が形成されている。
【００１７】
次に、図３を参照しつつ左側の縦材３０の下部の取り付け状態を説明する。前記上部第２水平材８の前部に軸心を左右方向に向けたねじ孔３７が形成されている。これらねじ孔３７は、図４に示すところの、ねじ孔３７にねじ嵌められる六角孔付きボルト２６を参照すれば明らかなように、上下にずれると共に前後にもずれている。
前記ねじ孔３７に、六角孔付きボルト２６を、突出片３０ｂに形成された軸心を左右方向に向けた貫通孔３９を通じてねじ嵌めることにより、左側の縦材３０の下部は上部第２水平材８に取り付けられる。
【００１８】
前記前側の渡し枠２８の右端部の、右側の側枠３への取り付けは、前側の渡し枠２８の左端部の、左側の側枠３への取り付けと同様に行われる。
【００１９】
前記後側の渡し枠２８は、前後方向中央に鏡面を前側に向けるようにして置いた鏡で前側の渡し枠２８を映したときに表われる像と同一の状態をしている。
そして、後側の渡し枠２８の左右部の上下部は、前側の渡し枠２８の上部のごとき連結手段（雌ねじ筒２０及び六角孔付きボルト２６を利用した連結手段）により、後側の支柱６の上部に取り付けられている。
【００２０】
前記前側の渡し枠２８に、以下ごとき手段により、木質系素材からなる前側の幕板４０が取り付けられている。
図４に示すごとく、前側の渡し枠２８の横材２９の垂直片２９ａに形成された、軸心を前後方向に向けた所要個の貫通孔を通じて、ねじ１６を、前側の幕板４０にねじ嵌めることにより、前側の幕板４０は垂直片２９ａに取り付けられている。
【００２１】
前記左右の側枠３の、後部の支柱６の下部に長手方向を左右方向に向けた横桟４１（断面矩形のパイプ材からなる）が以下のようにして渡し止められている。
図６に示すごとく、左側の後部の支柱６の右面に断面コ字状の連結具４３が溶接等で取り付けられ、この連結具４３は横桟４１に嵌まり込む大きさを有している。この連結具４３に横桟４１の左端部を嵌めた後、横桟４１の上下部に形成された、軸心を上下方向に向けた貫通孔４４を通じて、六角孔付きボルト２６を、連結具４３に形成された軸心を上下方向に向けたねじ孔４５にねじ嵌めることにより、横桟４１の左端部が、左側の後部の支柱６に取り付けられている。
【００２２】
前記横桟４１の右端部の、右側の後部の支柱６への取り付けは、横桟４１の左端部の、左側の後部の支柱６への取り付けと同様に行われる。
【００２３】
前記側枠３の上部及び渡し枠２８の上部に載置された、水槽４９を有する天板４８が、以下のようにして、上部第１水平材７に取り付けられている。
図５に示すごとく、連結具１３の水平壁１５に形成された、軸心を上下方向に向けた貫通孔を通じて、ねじ１６を、天板４８の左部の、木質系補強材５０にねじ嵌めることにより、天板４８の左部が連結具１３を介して左側の上部第１水平材７に取り付けられている。また、天板４８の右部が、前記天板４８の左部と同様の手段により、右側の上部第１水平材７に固定されている。
【００２４】
次に本発明の組み立て方法を説明する。
【００２５】
［第１工程］
流し台１の設置現場に、組み立て前の状態の部材を搬入する。
その後、左右の側枠３に横桟４１を渡し止める。
［第２工程］
その後、左右の側枠３に渡し枠２８を渡し止める。
［第３工程］
その後、連結具１３を上部第１水平材７に取り付け、これら連結具１３に天板４８を取り付ける。
［第４工程］
その後、前側の幕板４０、側部の幕板１１を取り付ける。なお、前側の幕板４０を取り付けるねじ１６を挿通するための貫通孔（垂直片２９ａに形成された）は、水槽４９の前方を逃げるように形成されている。
［第５工程］
その後、流し台１を設置位置に設置した後、周知の工程、即ち、湯水混合水栓（図示略）の取り付け、湯水混合水栓への、給水管・給湯管の接続、水槽４９の排水口への、排水トラップの取り付け、排水トラップへの排水管の取り付け等を行う。
【００２６】
以下に変形例等について説明を加える。
（１）前側の幕板４０の左右端部を切除して、前後の渡し枠２８の左右部に引き出し用空間を形成し、これら空間に引き出し用ガイド体を設け、これら引き出し用ガイド体に引き出しを前後出し入れ自在に収納するようにしてもよい。
（２）側枠３の形状は任意である。
【図面の簡単な説明】
【００２７】
【図１】本発明の実施の形態を示す正面図である。
【図２】図１のＩＩ−ＩＩ線矢視図である。
【図３】図１のＡ部分の一部破砕の中間省略拡大図である。
【図４】図３のＩＶ−ＩＶ線断面図である。
【図５】図２のＶ−Ｖ線拡大断面図である。
【図６】図１のＢ部分の一部破砕の拡大図である。
【符号の説明】
【００２８】
１  流し台
３  側枠
２８  渡し枠
２９  横材
３０  縦材
３１  中間補強材
【図１】
2005168610.tif 000003
【図２】
2005168610.tif 000004
【図３】
2005168610.tif 000005
【図４】
2005168610.tif 000006
【図５】
2005168610.tif 000007
【図６】
2005168610.tif 000008